(57)【要約】  エアバッグの高い展開性能を保ったまま、力布の取付部周辺がコンパクトで、取付の容易なエアバッグモジュール装備シートを提供する。  エアバッグを格納するエアバッグモジュール６を装備したシートＳである。シートＳのサイド部に沿って延出するサイドフレーム１０と、サイドフレーム１０に取り付けられるエアバッグモジュール６と、エアバッグモジュール６の展開方向を案内する案内部材３２と、を有する。案内部材３２には、案内部材３２をサイドフレーム１０に連結するための連結部材５０が接続され、連結部材５０の少なくとも一部は、サイドフレーム１０のシート外側の面と、エアバッグモジュール６のシート内側の面との間に配置され、連結部材５０は、案内部材３２が接続される案内部材接続部の下方に、案内部材の抜けを抑制する抜け止め部を備える。
2013094600.tif 000002
【特許請求の範囲】
【請求項１】
エアバッグを格納するエアバッグモジュールを装備したシートであって、
該シートのサイド部に沿って延出するサイドフレームと、
該サイドフレームに取り付けられる前記エアバッグモジュールと、
該エアバッグモジュールの展開方向を案内する案内部材と、を有し、
前記案内部材には、該案内部材を前記サイドフレームに連結するための連結部材が接続され、
該連結部材の少なくとも一部は、前記サイドフレームの前記シート外側の面と、前記エアバッグモジュールの前記シート内側の面との間に配置され、
前記連結部材は、前記案内部材が接続される案内部材接続部の下方に、前記案内部材の抜けを抑制する抜け止め部を備えることを特徴とするエアバッグモジュール装備シート。
【請求項２】
前記抜け止め部は、前記案内部材接続部の下端が曲げられた屈曲部から構成されることを特徴とする請求項１記載のエアバッグモジュール装備シート。
【請求項３】
前記連結部材は、前記屈曲部から、前記案内部材接続部から離れる方向に延長する延長部を備えることを特徴とする請求項１又は２記載のエアバッグモジュール装備シート。
【請求項４】
前記連結部材は、前記延長部の両側に、一対の前記案内部材接続部を備えることを特徴とする請求項１乃至３いずれか記載のエアバッグモジュール装備シート。
【請求項５】
前記一対の案内部材接続部のうち、一方には、第一の前記案内部材の端部が接続された掛止部材が、前記第一の案内部材の端部との接続部を前記サイドフレーム側に対向させて掛止され、
他方には、第二の前記案内部材の端部側が接続されることを特徴とする請求項４記載のエアバッグモジュール装備シート。
【請求項６】
前記連結部材は、前記エアバッグモジュールの上下方向に延出し、前記サイドフレームの上方側と下方側で前記サイドフレーム側に係止されることを特徴とする請求項１乃至５いずれか記載のエアバッグモジュール装備シート。
【請求項７】
前記連結部材は、線状部材からなることを特徴とする請求項１乃至６いずれか記載のエアバッグモジュール装備シート。
【請求項８】
前記線状部材の少なくとも一部は、前記サイドフレームの前記シート外側の面と、前記エアバッグモジュールの前記シート内側の面との合わせ面の面上に配置されることを特徴とする請求項１乃至７いずれか記載のエアバッグモジュール装備シート。
【請求項９】
前記線状部材が前記サイドフレームの前記上方側で係止する上方係止部と、前記線状部材が前記サイドフレームの前記下方側で係止する下方係止部とは、係止方向が異なることを特徴とする請求項１乃至８いずれか記載のエアバッグモジュール装備シート。
【請求項１０】
前記線状部材の少なくとも一部は、前記シートの幅方向において、前記サイドフレームと、前記エアバッグモジュールとに挟まれていることを特徴とする請求項７乃至９いずれか記載のエアバッグモジュール装備シート。
【請求項１１】
前記線状部材は、上下方向に延出する上下延設部と、該上下延設部の下方で屈曲して、前記エアバッグモジュールの下端に沿って前記シートの前後方向に延出する下方部とを備え、
該下方部は、前記エアバッグモジュールによって被覆されていないことを特徴とする請求項７乃至１０いずれか記載のエアバッグモジュール装備シート。
【請求項１２】
前記下方係止部は、前記サイドフレームに設けられた係止孔に係止されることを特徴とする請求項９乃至１１いずれか記載のエアバッグモジュール装備シート。
【請求項１３】
前記下方部は、前記サイドフレームの前記シート外側の面から、該シート外側の面の後端部から屈曲した後端面まで回り込んで設けられ、
前記下方係止部は、前記後端面の端部に係止されることを特徴とする請求項１１又は１２記載のエアバッグモジュール装備シート。
【請求項１４】
第一の前記案内部材は、前記サイドフレームの上下方向において前記上方係止部及び前記下方係止部と対向しない位置で、前記サイドフレームの前記シート外側の面の前端部に取り付けられ、
前記連結部材には、第二の前記案内部材が連結されることを特徴とする請求項９乃至１３いずれか記載のエアバッグモジュール装備シート。
【請求項１５】
前記サイドフレームに少なくとも上方で連結する前記シートの上部フレームと、該上部フレームに固定され、前記エアバッグモジュールを前記上部フレームに取り付けるブラケットを備え、
該ブラケットは、前記上方係止部を係止可能な係合部を備えることを特徴とする請求項９乃至１４いずれか記載のエアバッグモジュール装備シート。
【発明の詳細な説明】
【技術分野】
【０００１】
本発明は、エアバッグモジュール装備シートに係り、シートバックの側部に設けられたエアバッグモジュールを包み込む力布がシートバック側に係止されたエアバッグモジュール装備シートに関する。
【背景技術】
【０００２】
従来、エアバッグモジュール装備シートとしては、シートバックフレームのサイドフレームにエアバッグモジュールを取り付け、トリムカバーの各端末と二枚の力布の片端末を共縫いしてトリムカバーの破断部を形成し、破断部からトリムカバーの内側に引き込んだ二枚の力布でエアバッグモジュールを包み込んで、エアバッグモジュールを含むシートバック全体をトリムカバーで被包するものが提案されている（例えば特許文献１）。【０００３】
特許文献１では、サイドフレームのエアバッグモジュール逆側の位置に、二つのリスティングワイヤが、知恵の輪状に相絡み合うように設けられている。破断部からエアバッグモジュールの両側に引き込まれた二枚の力布の端末は、エアバッグモジュールを包み込むようにして二つのリスティングワイヤまで伸ばされ、リスティングワイヤのそれぞれに取り付けられている。サイドフレームのエアバッグモジュール逆側に向かって立ち上がるように、金属製の棒状体から形成された掛け止め部材が設けられ、二つのリスティングワイヤは、この掛け止め部材に引っ掛けられながら、相互に絡め止められている。【０００４】
掛け止め部材は、リスティングワイヤを掛け止める位置に、Ｖ字状に曲げられた谷曲げ部を備え、リスティングワイヤがこの谷曲げ部に係止されることにより、リスティングワイヤが掛け止め部材の長さ方向にずれることを防止できる。
特許文献１の発明によれば、リスティングワイヤが掛け止め部材の長さ方向にずれないため、組み付け時に、力布の端部が横幅方向にずれることがなく、エアバッグモジュールを力布の全面積で包め込める。そして、力布でエアバッグモジュールを直接包み込めると共に、各力布をリスティングワイヤで確実に引張止着できるため、力布により、エアバッグの膨張圧をトリムカバーの破断部となる縫い合わせ目に、効率よく集中させることができ、エアバッグの高い展開性能が達成できる。
【先行技術文献】
【特許文献】
【０００５】
【特許文献１】特許第４４５２８６０号公報
【発明の概要】
【発明が解決しようとする課題】
【０００６】
しかし、特許文献１の発明では、リスティングワイヤの絡め止めの位置が、サイドフレームのエアバッグモジュール逆側に設けられ、しかも、リスティングワイヤを係止する掛け止め部材が、サイドフレームのエアバッグモジュール逆側に向かって立ち上がるように設けられている。また、一方の力布の端末をサイドフレームに締結するために、二つのリスティングワイヤと掛け止め部材の合計三点のワイヤ部材を必要としている。
そのため、一方の力布の端末の取付箇所が大掛かりとなって、コンパクト化の要請に沿わず、また、部品点数が多いためにコストも高くなる。
また、破断部からトリムカバーの内側に引き込んだ力布でエアバッグモジュールを包み込む構造では、エアバッグが膨張していない一般使用時に、力布の破断部逆側の端部がずれたり、抜けたりしないようにする必要もある。【０００７】
本発明は、上記の課題に鑑みてなされたものであり、本発明の目的は、エアバッグの高い展開性能を保ったまま、エアバッグモジュールの展開方向を案内する案内部材の取付部周辺がコンパクトで、取付の容易なエアバッグモジュール装備シートを提供することにある。
本発明の他の目的は、エアバッグモジュールの展開方向を案内する案内部材の破断部逆側の端部が、一般使用時にずれたり抜けたりしにくい構造を備えたエアバッグモジュール装備シートを提供することにある。
【課題を解決するための手段】
【０００８】
前記課題は、請求項１に係る発明によれば、エアバッグを格納するエアバッグモジュールを装備したシートであって、該シートのサイド部に沿って延出するサイドフレームと、該サイドフレームに取り付けられる前記エアバッグモジュールと、該エアバッグモジュールの展開方向を案内する案内部材と、を有し、前記案内部材には、該案内部材を前記サイドフレームに連結するための連結部材が接続され、該連結部材の少なくとも一部は、前記サイドフレームの前記シート外側の面と、前記エアバッグモジュールの前記シート内側の面との間に配置され、前記連結部材は、前記案内部材が接続される案内部材接続部の下方に、前記案内部材の抜けを抑制する抜け止め部を備えること、により解決される。【０００９】
このように、連結部材の少なくとも一部は、サイドフレームのシート外側の面と、エアバッグモジュールのシート内側の面との間に配置され、連結部材は、案内部材が接続される案内部材接続部の下方に、案内部材の抜けを抑制する抜け止め部を備えるため、案内部材と連結部材との接続箇所において、案内部材の下側が、抜け止め部によって支持されると同時に、案内部材のシート左右方向の移動が、エアバッグモジュールとサイドフレームとに制限されるため、連結部材から案内部材が抜けることが抑制される。【００１０】
また、前記抜け止め部は、前記案内部材接続部の下端が曲げられた屈曲部から構成されていてもよい。
このように構成すると、案内部材下端が、案内部材接続部下端の屈曲部によって支持され、案内部材が案内部材接続部の下方から抜けることが一層抑制される。【００１１】
また、前記連結部材は、前記屈曲部から、前記案内部材接続部から離れる方向に延長する延長部を備えていてもよい。
このように構成すると、屈曲部により案内部材下端をよりしっかりと支持することができ、案内部材が案内部材接続部の下方から抜けることをより一層抑制できる。【００１２】
また、前記連結部材は、前記延長部の両側に、一対の前記案内部材接続部を備えていてもよい。
このように構成すると、エアバッグモジュール装備シートが案内部材を一対備えた場合に、双方の案内部材を追加部品なしで連結部材に掛け止めることができる。【００１３】
また、前記一対の案内部材接続部のうち、一方には、第一の前記案内部材の端部が接続された掛止部材が、前記第一の案内部材の端部との接続部を前記サイドフレーム側に対向させて掛止され、他方には、第二の前記案内部材の端部側が接続されていてもよい。
このように、一対の案内部材接続部のうち、一方には、第一の案内部材の端部が接続された掛止部材が、第一の案内部材の端部との接続部をサイドフレーム側に対向させて掛止されるため、第一の案内部材は、一方の案内部材接続部に掛止させるだけで、サイドフレーム側に連結することができる。
また、掛止部材が、第一の案内部材の端部との接続部をサイドフレーム側に対向させて掛止されるため、掛止部材と案内部材の接続部との掛け止め状態を、シート側方から容易に確認できる。【００１４】
また、前記連結部材は、前記エアバッグモジュールの上下方向に延出し、前記サイドフレームの上方側と下方側で前記サイドフレーム側に係止されていてもよい。【００１５】
このように構成しているため、案内部材が撚れたり皺になったりしないように、サイドフレーム側に取り付けることができる。従って、エアバッグの展開時に、エアバッグの膨張圧をトリムカバーの破断部に効率よく集中させることができ、エアバッグの高い展開性能を保つことができる。
また、二つの連結部材と掛け止め部材を備える従来構造と異なり、連結部材と案内部材のサイドフレーム逆側への張り出しが抑制され、サイドフレーム周辺の省スペース化により、シートの幅方向の小型化が可能となる。【００１６】
また、前記連結部材は、線状部材からなっていてもよい。
このように構成すると、連結部材を容易に形成できる。【００１７】
また、前記線状部材の少なくとも一部は、前記サイドフレームの前記シート外側の面と、前記エアバッグモジュールの前記シート内側の面との合わせ面の面上に配置されていてもよい。
このように構成すると、線状部材と案内部材のサイドフレーム逆側への張り出しが抑制されるため、サイドフレーム周辺の省スペース化により、シートの幅方向の小型化が可能となる。【００１８】
また、前記線状部材が前記サイドフレームの前記上方側で係止する上方係止部と、前記線状部材が前記サイドフレームの前記下方側で係止する下方係止部とは、係止方向が異なっていてもよい。
このように構成すると、線状部材が外れ難くなり、エアバッグ非展開時に線状部材が外れることを抑制できる。【００１９】
また、前記線状部材の少なくとも一部は、前記シートの幅方向において、前記サイドフレームと、前記エアバッグモジュールとに挟まれていてもよい。
このように構成すると、エアバッグの非展開時において、案内部材を相互に引き離す方向の力が加わっても、サイドフレームとエアバッグモジュールとに挟まれた箇所で線状部材が保持される。特に、エアバッグの非展開時に、線状部材には常時、案内部材によりシート幅方向に引っ張る力が掛かるため、シート幅方向へ外れる可能性があるが、このように構成しているため、エアバッグの非展開時におけるシート幅方向への外れを抑制可能となる。【００２０】
また、前記線状部材は、上下方向に延出する上下延設部と、該上下延設部の下方で屈曲して、前記エアバッグモジュールの下端に沿って前記シートの前後方向に延出する下方部とを備え、該下方部は、前記エアバッグモジュールによって被覆されていなくてもよい。
このように構成すると、組付け時に線状部材の下方部がエアバッグモジュールと干渉することを抑制でき、組付けが容易となる。【００２１】
また、前記下方係止部は、前記サイドフレームに設けられた係止孔に係止されていてもよい。
このように構成すると、追加部品なしで下方係止部をサイドフレームに取り付けることができ、構造を単純化できる。【００２２】
また、前記下方部は、前記サイドフレームの前記シート外側の面から、該シート外側の面の後端部から屈曲した後端面まで回り込んで設けられ、前記下方係止部は、前記後端面の端部に係止されていてもよい。
このように構成すると、線状部材の下方係止部をサイドフレームの後端面まで回り込ませて係止するので、強固な取り付けが可能となる。【００２３】
また、第一の前記案内部材は、前記サイドフレームの上下方向において前記上方係止部及び前記下方係止部と対向しない位置で、前記サイドフレームの前記シート外側の面の前端部に取り付けられ、前記連結部材には、第二の前記案内部材が連結されていてもよい。
このように構成すると、取付部材同士の干渉を抑制でき、作業性が向上する。【００２４】
また、前記サイドフレームに少なくとも上方で連結する前記シートの上部フレームと、該上部フレームに固定され、前記エアバッグモジュールを前記上部フレームに取り付けるブラケットを備え、該ブラケットは、前記上方係止部を係止可能な係合部を備えていてもよい。
このように構成すると、エアバッグモジュールを取り付けるブラケットのみで線状部材の上方係止部も係止できるので、上方係止部の取付のために部品点数が増加することを抑制できる。
【発明の効果】
【００２５】
本発明のエアバッグモジュール装備シートによれば、連結部材の少なくとも一部は、サイドフレームのシート外側の面と、エアバッグモジュールのシート内側の面との間に配置され、連結部材は、案内部材が接続される案内部材接続部の下方に、案内部材の抜けを抑制する抜け止め部を備えるため、案内部材と連結部材との接続箇所において、案内部材の下側が、抜け止め部によって支持されると同時に、案内部材のシート左右方向の移動が、エアバッグモジュールとサイドフレームとに制限されるため、連結部材から案内部材が抜けることが抑制される。
【図面の簡単な説明】
【００２６】
【図１】本発明の一実施形態に係るエアバッグモジュール装備シートの外観図である。
【図２】本発明の一実施形態に係るエアバッグモジュール装備シートのシートフレームの斜視図である。
【図３】図１のＡ−Ａ断面図である。
【図４】本発明の一実施形態に係るブラケットの斜視図である。
【図５】本発明の一実施形態に係るトリムカバーと力布を破断部で共縫いした状態を示す説明図である。
【図６】本発明の一実施形態に係るリフティングワイヤの斜視図である。
【図７】本発明の一実施形態に係るリフティングワイヤの下方係止部の係止状態を示す斜視図である。
【図８】本発明の一実施形態に係るリフティングワイヤの下方係止部の係止箇所の変更例を示す斜視図である。
【図９】本発明の一実施形態に係るリフティングワイヤの下方係止部の係止箇所の他の変更例を示す斜視図である。
【図１０】本発明の一実施形態に係るリフティングワイヤの上方係止部の係止状態を示す斜視図である。
【図１１】本発明の一実施形態に係るリフティングワイヤの上方係止部，下方係止部と、他方の力布の係止部材との位置関係を示す説明図である。
【図１２】本発明の一実施形態に係るリフティングワイヤの変形例を示す説明図である。
【図１３】本発明の一実施形態に係るリフティングワイヤの変形例を示す説明図である。
【図１４】本発明の他の実施形態に係る取付ワイヤの取付位置を示す説明図である。
【図１５】本発明の他の実施形態に係るエアバッグモジュール装備シートに係る図１のＢ−Ｂ線断面図である。
【図１６】本発明の他の実施形態に係るトリムカバーと力布を破断部で共縫いした状態を示す説明図である。
【図１７】本発明の他の実施形態に係る力布と取付ワイヤの設置位置を示す説明図である。
【図１８】本発明の他の実施形態に係る力布と取付ワイヤの取付状態を示す説明図である。
【図１９】本発明の他の実施形態の変形例に係る力布と取付ワイヤの取付状態を示す説明図である。
【発明を実施するための形態】
【００２７】
以下、本発明の実施形態に係るエアバッグモジュール装備シートについて、図１〜図１９を参照しながら説明する。
【００２８】
（第一の実施形態）
本実施の形態に係るエアバッグモジュール装備シートとしての車両用シートＳは、図１で示すように、シートバックＳ１、着座部Ｓ２、ヘッドレストＳ３より構成されている。
【００２９】
車両用シートＳの中には、図２に示すようなシートフレームＦが設けられている。シートフレームＦは、シートバックＳ１のフレームであるシートバックフレーム１と、着座部Ｓ２のフレームである着座フレーム２とから構成されている。着座フレーム２とシートバックフレーム１は、リクライニング機構３を介して連結されている。シートバックフレーム１及び着座フレーム２の外側には、クッション及びトリムカバーが設けられることで、シートバックＳ１及び着座部Ｓ２が構成される。
【００３０】
シートバックＳ１は、図１〜図３に示すように、シートバックフレーム１と、シートバックフレーム１上に載置されるクッションパッド５と、シートバックフレーム１及びクッションパッド５を覆うトリムカバー４と、トリムカバー４の破断部４０に一端が縫い付けられた第一の案内部材としての第一の力布３１（アウター力布），第二の案内部材としての第二の力布３２（インナー力布）とを主要構成要素とする。
【００３１】
シートバックフレーム１は、左右に離間して配置され上下方向に延在するサイドフレーム１０と、サイドフレーム１０の上端部を連結する上部フレーム２１と、下端部を連結する下部フレーム２２とにより枠状に構成されている。
【００３２】
サイドフレーム１０は、板金をプレス加工して成形され、図１，図２に示すように、前端の辺が前方に湾曲して張り出した略Ｄ字状の略板体からなる。サイドフレーム１０は、図３に示すように、ほぼ平板状の側板１１と、この側板１１の前端部を内側にＵ字状に折り返してなる前縁部１２と、後端部をＬ字型に内側に屈曲させた後縁部１３とを有している。
前縁部１２は、上半部が、下方が前方に張り出すように、車両用シートＳの上下方向に対して傾斜した傾斜部となっている。
【００３３】
サイドフレーム１０には、エアバッグモジュール６が固定されている。
エアバッグモジュール６は、公知の構成からなり、特に図示しないが、インフレータをリテーナで保持し、そのリテーナの締付けボルトをエアバッグより外部に突出させて、インフレータをリテーナと一体にエアバッグの取付基部寄り内部に組み付け、更に、リテーナの締付けボルトを外部に突出させて全体をモジュールケースの内部に収容し、衝撃センサー等の関連機器と回路構成するのに必要なハーネス，コネクタを備えることにより組み立てられている。
【００３４】
モジュールケースとしては、開閉可能なリッドをケース本体にヒンジ接続したもの、または、Ｖ溝等による脆弱部を前部面に設けたケース本体とロアプレートとからなるハウジングにより、エアバッグの膨張圧で開放可能なものが備え付けられている。
【００３５】
上部フレーム２１には、上部フレーム２１がサイドフレーム１０の上端に連結される箇所より少し上方に、図２，図４に示すブラケット６０が溶接により取り付けられている。
ブラケット６０は、エアバッグモジュール６の上端側をシートバックフレーム１に固定するための金属製の取付部材であり、図４に示すように、シートバックフレーム１に溶接により固定するためのフレーム取付部６１と、エアバッグモジュール６に取り付けるためのモジュール取付部６２と、を備えている。
フレーム取付部６１は、筒状体からなる上部フレーム２１の外側面の形状に合うよう、断面円弧状になった板状部分６１ａと、板状部分６１ａの湾曲した方向の一端側の両側に、板状部分６１ａの両側から立ち上がる壁部６１ｂと、を備えている。
【００３６】
モジュール取付部６２は、フレーム取付部６１の湾曲した方向の一端側から連続して形成された略板体からなる。モジュール取付部６２は、板状部分６１ａ中央の接面及び壁部６１ｂに対して略直角に延出した板状部分６２ａと、板状部分６２ａのフレーム取付部６１側を除く三方の端部に、板状部分６２ａから立ち上がる壁部６２ｂと、を備えている。板状部分６２ａの中央には、エアバッグモジュール６を取り付けるためのボルト孔６３が設けられている。
壁部６１ｂの壁部６２ｂ側の部分と壁部６２ｂの壁部６１ｂ側の部分とは、略同一面上にあり、壁部６１ｂと壁部６２ｂとの間は、図４に示すように、リスティングワイヤ５０が嵌合可能な幅の切欠き６４となっている。この切欠き６４は、リスティングワイヤ５０の上方係止部５４を係止可能であり、上方係止部５４の移動を規制する。
【００３７】
上部フレーム２１には、ピラー支持部２３が設けられ、ピラー支持部２３には、図示しないヘッドレストフレームが設けられる。ヘッドレストフレームの外側にクッション部材を設けることでヘッドレストＳ３が構成される。
【００３８】
クッションパッド５には、図３に示すように、エアバッグモジュール６を格納するための空間７が形成されている。
【００３９】
トリムカバー４は、公知の材料からなり、図３，図５に示すように、座面中央から左右の土手面を被包する前面マチ部４１と周側面から背面に至る側面マチ部４２とを縫い合わせ、更に、不図示の背面マチ部を不図示のスライドファスナーで側面マチ部４２に対して開閉自在に連結することにより袋状に縫製されている。
トリムカバー４には、前面マチ部４１と側面マチ部４２との土手部において膨出した頂点に、破断部４０が形成されている。破断部４０は、前面マチ部４１と側面マチ部４２の端部を、通常の使い勝手に耐えられる強度を保ちつつ、エアバッグの膨張による引張力で裂断可能なように、相互に縫製されている。
【００４０】
第一の力布３１，第二の力布３２は、伸縮性の小さい布状素材からなり、エアバッグの膨張による応力を破断部４０に伝達する役割を果たす。エアバッグモジュール６を包み込み、エアバッグの展開時にトリムカバー４の各端末を離間し得るよう一端部がトリムカバー４の破断部４０に取付けられる。
第一の力布３１は、図５に示すように、引張力が掛かる方向に長くなった略矩形の布からなり、一端は、破断部４０で、トリムカバー４の前面マチ部４１と側面マチ部４２の端部及び第二の力布３２の一端と共縫いされている。第一の力布３１の他端には、樹脂製からなり断面略Ｊ字状で長尺の係止部材３３が縫い付けられている。
【００４１】
第二の力布３２は、図５に示すように、破断部４０側の辺３４と破断部４０逆側の辺３５とが略平行で、破断部４０側の辺３４が長く形成された略台形の布からなる。
破断部４０側の辺３４と破断部４０逆側の辺３５とをつなぐ二つの辺のうち一方の辺３８は、サイドフレーム１０の前縁部１２の上半部が上方から下方に向かって前方に傾斜して張り出している傾斜部の形状に沿うよう、破断部４０側の辺３４及び破断部４０逆側の辺３５に対して斜辺として形成されている。
辺３５，３８は、長さ方向に沿って端末が折り曲げられ輪状に縫い合わされ、縫い合わされた輪内に、線状部材としてのリスティングワイヤ５０が挿通されている。
【００４２】
リスティングワイヤ５０は、図６に示すように、硬鋼線，ピアノ線等の剛直な線材が屈曲されて形成されており、取付時にエアバッグモジュール６の下前方部の前方に配設される前方部５１、取付時にエアバッグモジュール６の上方部に沿って配設される上方部５２、取付時にエアバッグモジュール６の下端より下方に配設される下方部５３と、リスティングワイヤ５０を上端及び下端でそれぞれサイドフレーム１０側に係止するための上方係止部５４及び下方係止部５５が一体形成されてなる。前方部５１及び上方部５２が、特許請求の範囲の上下延設部に該当する。
【００４３】
上方部５２は、組付け時に、上方係止部５４の係止を容易にするため、上方係止部５４の近傍が、上方係止部５４に平行に近くなるように屈曲されている。下方部５３は、エアバッグモジュール６の下端の形状に合うよう、中央が下方に凸になるように屈曲されている。前方部５１、上方部５２、下方部５３は、同一平面上にあり、取付時にサイドフレーム１０の側板１１及びエアバッグモジュール６のサイドフレーム側の面と一致する。上方係止部５４は、取付時に車両用シートＳの下方を向くよう、前方部５１の上端から屈曲され、下方係止部５５は、取付時に車両用シートＳの後方を向くよう、下方部５３の後端から屈曲されている。前方部５１の下端で下方部５３に向かって屈曲された部分が、特許請求の範囲の屈曲部に該当し、下方部５３が、延長部に該当する。
【００４４】
リスティングワイヤ５０は、図２に示すように取付けられる。取付時、前方部５１、上方部５２、下方部５３は、側板１１の車両用シートＳ外側の面に沿っており、上方部５２は、側板１１の外側の面とエアバッグモジュール６の車両用シートＳ内側の面とに挟まれている。
前方部５１は、エアバッグモジュール６よりも前方を通って、エアバッグモジュール６の前方下端の外側で屈曲して下方部５３につながり、下方部５３は、エアバッグモジュール６の下端よりも下方を通って下方係止部５５につながっている。下方部５３は、エアバッグモジュール６の下方端部とサイドフレーム１０との合わせ面とに沿っている。前方部５１、下方部５３、上方係止部５４、下方係止部５５は、エアバッグモジュール６には覆われずに、車両用シートＳの外側に向かって空間７内へ露出している。
【００４５】
下方係止部５５は、図７に示すように、サイドフレーム１０の下端付近で、後縁部１３に係止される。
なお、下方係止部５５は、後縁部１３ではなく、図８に示すように、側板１１に設けた貫通孔１１ａに係止してもよい。また、図９に示すように、後縁部１３に設けた貫通孔１３ａに係止してもよい。
【００４６】
上方部５２は、上方の端部側で屈曲されて、上方の端部側が上部フレーム２１に沿って延びて、上方係止部５４に達している。上方係止部５４は、図１０に示すように、エアバッグモジュール６の上端付近で、上部フレーム２１に固定されたブラケット６０の切欠き６４に係止されている。
【００４７】
上方係止部５４及び下方係止部５５は、図１１に示すように、サイドフレーム１０の長さ方向において、第一の力布３１に連結された係止部材３３と対向しないよう、上下方向において異なる位置に設けられている。
【００４８】
なお、リスティングワイヤ５０の代わりに、図１２，図１３に示すリスティングワイヤ５０´を用いてもよい。リスティングワイヤ５０´は、前方部５１が途中でフック状に屈曲されたフック部５１´を備えているほかは、リスティングワイヤ５０の構成と同様である。
フック部５１´は、前方部５１の途中で、側板１１の平面に対して立ち上がるように垂直に曲げられた後、側板１１の平面に対して垂直な面上で前縁部１２に係止可能なフック形に曲げられ、その後再度垂直に曲げられて前方部５１に平行な部分が形成されている。その後再度側板１１の平面に対して垂直に曲げられて側板１１の平面に対して垂直な面上で前縁部１２に係止可能なフック形が形成されたのち、再度垂直に曲げられて、前方部５１に連結している。
【００４９】
なお、本実施形態では、特許請求の範囲の連結部材として線状部材であるリスティングワイヤ５０，５０´を用いているが、サイドフレーム１０の上方及び下方で、サイドフレーム１０又は上部フレーム２１に両端部側が連結される長尺の連結部材であればよく、例えば、長尺の板状体から形成されていてもよい。
【００５０】
（第二の実施形態）
本発明の第二の実施形態に係るエアバッグモジュール装備シートとしての車両用シートＳ´について説明する。なお、第一の実施形態と同じ部材については、同じ符号を使用し、説明を省略する。
車両ドア側の本実施形態のサイドフレーム１０´の側板１１´には、図１４に示すように、上下一対のエアバッグモジュール６´取付用のエアバッグ取付孔１４ａ，１４ｂが形成されている。一対のエアバッグ取付孔１４ａ，１４ｂの上下方向の間には、取付ワイヤ７０を取付けるための一対の上部孔１５ａ，１５ｂと、下部孔１６とが形成されている。
【００５１】
本実施形態のエアバッグモジュール６´は、モジュールケースを有しないケースレスエアバッグモジュールからなる。エアバッグモジュール６´は、図１５に示すように、インフレータ６ａと、折り畳まれたエアバッグ６ｂと、インフレータ６ａを保持するリテーナ６ｃと、エアバッグ６ｂを包むラップ材６ｄを備えている。
インフレータ６ａの外周部は、車両用シートＳ´内側に向かって立設され、サイドフレームのエアバッグ取付孔１４ｂに通されたボルト１８により、リテーナ６ｃ及びサイドフレーム１０´に固定されている。なお、インフレータ６ａは、ボルト以外のインフレータ取付部材によりサイドフレーム１０´に固定されていてもよい。
また、リテーナ６ｃは、エアバッグ取付孔１４ｂに挿通されてインフレータ６ａをサイドフレーム１０´に固定するボルト１８と、エアバッグ取付孔１４ａに挿通される不図示のボルトによって、サイドフレーム１０´に固定されている。
【００５２】
インフレータ６ａは、エアバッグ６ｂ内に配設され、エアバッグ６ｂは、インフレータ６ａから噴出されるガスによって車両用シートＳ´前方に展開するようになっている。
エアバッグ６ｂは、布袋等からなるラップ材６ｄによって折り畳み状態に保持されており、このラップ材６ｄは、エアバッグ６ｂが展開する場合に、容易に破けるようになっている。
なお、本実施形態では、エアバッグモジュール６´を、ケースレスのものから構成しているが、これに限定されるものでなく、モジュールケースを備えたものとして構成してもよい。
【００５３】
図１６に示すように、本実施形態のトリムカバー４の破断部４０では、前面マチ部４１と側面マチ部４２の端部と、第一の案内部材としての第一の力布３１´（アウター力布），第二の案内部材としての第二の力布３２´（インナー力布）の一端が、共縫いされている。
第一の力布３１´，第二の力布３２´は、引張力が掛かる方向に長くなった略矩形の布からなる。第二の力布３２´の破断部４０逆側端部には、樹脂製からなり断面略Ｊ字状で長尺のＪフックからなる係止部材３３が縫い付けられている。
【００５４】
第一の力布３１´の破断部４０逆側端部は、長さ方向に沿って端末が折り曲げられて輪状に縫い合わされ、縫い合わされた輪内に、線状部材としての取付ワイヤ７０が挿通されている。
取付ワイヤ７０は、図１６に示すように、硬鋼線，ピアノ線等の剛直な一本の連続する線材を折り曲げて形成されている。
【００５５】
取付ワイヤ７０は、サイドフレーム１０´への組付け時に下方に配置される下側短辺７１，サイドフレーム１０´への組付け時に上方に配置される上側短辺７３，サイドフレーム１０´への組付け時にシートＳ´後方に位置する後側長辺７５，取付ワイヤ７０の一対の長辺のうち、サイドフレーム１０´への組付け時にシートＳ´前方に位置する前側長辺７６によって形成される概略長方形の枠形状を備えている。
後側長辺７５，前側長辺７６が、特許請求の範囲の案内部材接続部に該当する。後側長辺７５，前側長辺７６それぞれと下側端辺７１との間の屈曲した部分が、特許請求の範囲の屈曲部に該当する。また、下側端辺７１が、特許請求の範囲の延長部に該当する。
【００５６】
下側短辺７１の中央には、枠形状により形成される面に対して垂直に立設するよう、折り曲げて形成されたコの字（Ｃ字）状の立設部７２を備えている。
また、上側短辺７３の中央には、線材の両端部が位置しており、この両端部が、立設部７２と同じ方向に、枠形状により形成される面に対して垂直に立設するよう、折り曲げられて、一対の折曲端部７４ａ，７４ｂが形成されている。
後側長辺７５には、係止部材３３を介して第一の力布３１´が連結される。また、前側長辺７６には、第二の力布３２´が連結される。
【００５７】
本実施形態の取付ワイヤ７０を用いた第一の力布３１´，第二の力布３２´のサイドフレーム１０´への取付について説明する。
まず、図１４，図１５，図１７に示すように、第二の力布３２´に連結された取付ワイヤ７０の下側短辺７１の立設部７２を、サイドフレーム１０´の下部孔１６に嵌合させ、上側短辺７３の折曲端部７４ａ，７４ｂを、サイドフレーム１０´の上部孔１５ａ，１５ｂにそれぞれ挿入する。これにより、取付ワイヤ７０は、概略長方形の枠形状の部分が、サイドフレーム１０´に当接して連結される。
次いで、エアバッグモジュール６´を、取付ワイヤ７０をサイドフレーム１０´との間で挟むようにして、上下一対のボルト１８及び不図示のボルトで、サイドフレーム１０´に固定する。
【００５８】
その後、第一の力布３１´をエアバッグモジュール６´の車両用シートＳ´外側の外面に、第一の力布３１´に連結された係止部材３３を被せながら、エアバッグモジュール６´とサイドフレーム１０´とが当接している位置で引き込み、後側長辺７５に係止する。このとき、係止部材３３のうち第一の力布３１´が連結された側が、サイドフレーム６´に対向し、第一の力布３１´が連結されていない側の係止部材３３の端部が、エアバッグモジュール６´に対向するように配置する。
その後、後方のクッションパッド５ａ，側面マチ部４２をエアバッグモジュール６´に被せることにより、取付を完了する。
なお、本実施形態では、第一の力布３１´，第二の力布３２´を備えているが、第一の力布３１´を備えない場合は、取付ワイヤ７０の後側長辺７５には、何も連結しないままとしてもよい。また、取付ワイヤ７０の代わりに、図１９に示すように、取付ワイヤ８０を用いてもよい。
【００５９】
図１９の取付ワイヤ８０は、下側短辺７１，上側短辺７３を中心で取付ワイヤ７０を左右に二分割したような形状からなり、第二の力布３２´を連結するための直線状の連結部８６と、連結部８６の端部のうち、サイドフレーム１０´への組付け時に上方に配置される端部が垂直に屈曲されて延出する上部８３と、連結部８６の端部のうち、サイドフレーム１０´への組付け時に下方に配置される端部が垂直に屈曲されて延出する下部８１と、を備えている。
上部８３と下部８１は、互いに平行であり、連結部８６，上部８３，下部８１は、同一平面上に載っている。
上部８３の連結部８５逆側の端部は、上部８３から更に垂直に屈曲されて延出する折曲端部８４ｂが形成されている。折曲端部８４ｂは、連結部８５及び上部８３に対して垂直である。
また、下部８１の連結部８５逆側の端部は、下部８１から更に垂直に屈曲されて延出する折曲端部８５が形成されている。折曲端部８５は、連結部８６及び上部８１に対して垂直である。折曲端部８５の他端は、更に垂直に屈曲されて、連結部８６，折曲端部８５に対して垂直且つ下部８１に対して平行な延長部８２が形成されている。
【００６０】
第二の力布３２´を取付ワイヤ８０を用いて取付けるときには、まず、折曲端部８５を下部孔１６に挿入して掛け止め、折曲端部８４ｂを上部孔１５ｂに挿入する。これにより、取付ワイヤ８０は、連結部８６，上部８３，下部８１によって構成されるコ字（Ｃ字）状の枠形状の部分が、サイドフレーム１０´に当接して連結される。その後、取付ワイヤ７０の取付と同様の工程により、取付を行う。
【符号の説明】
【００６１】
Ｓ，Ｓ´  車両用シート、  Ｓ１  シートバック、  Ｓ２  着座部、  Ｓ３  ヘッドレスト、Ｆ  シートフレーム、  １  シートバックフレーム、  ２  着座フレーム、  ３  リクライニング機構、  ４  トリムカバー、  ５，５ａ  クッションパッド、  ６，６´  エアバッグモジュール、  ６ａ  インフレータ、  ６ｂ  エアバッグ、  ６ｃ  リテーナ、  ６ｄ  ラップ材、  ７  空間、  １０，１０´  サイドフレーム、  １１，１１´  側板、  １１ａ  貫通孔、  １２  前縁部、  １３  後縁部、  １３ａ  貫通孔、  １４ａ，１４ｂ  エアバッグ取付孔、  １５ａ，１５ｂ  上部孔，  １６  下部孔、  １８  ボルト、  ２１  上部フレーム、  ２２  下部フレーム、  ２３  ピラー支持部、  ３１，３１´  第一の力布、  ３２，３２´  第二の力布、  ３３  係止部材、  ３４，３５，３８  辺、  ４０  破断部、  ４１  前面マチ部、  ４２  側面マチ部、  ５０，５０´  リスティングワイヤ、  ５１  前方部、  ５１´  フック部、  ５２  上方部、  ５３  下方部、  ５４  上方係止部、  ５５  下方係止部、  ６０  ブラケット、  ６１  フレーム取付部、  ６１ａ，６２ａ  板状部分、  ６１ｂ，６２ｂ  壁部、  ６２  モジュール取付部、  ６３  ボルト孔、  ６４  切欠き、  ７０，８０  取付ワイヤ、  ７１  下側短辺、  ７２  立設部、  ７３  上側短辺、  ７４ａ，７４ｂ，８４ｂ，８５  折曲端部、  ７５  後側長辺、  ７６  前側長辺、  ８１  下部、  ８２  延長部、  ８３  上部、  ８６  連結部
【図１】
2013094600.tif 000003
【図２】
2013094600.tif 000004
【図３】
2013094600.tif 000005
【図４】
2013094600.tif 000006
【図５】
2013094600.tif 000007
【図６】
2013094600.tif 000008
【図７】
2013094600.tif 000009
【図８】
2013094600.tif 000010
【図９】
2013094600.tif 000011
【図１０】
2013094600.tif 000012
【図１１】
2013094600.tif 000013
【図１２】
2013094600.tif 000014
【図１３】
2013094600.tif 000015
【図１４】
2013094600.tif 000016
【図１５】
2013094600.tif 000017
【図１６】
2013094600.tif 000018
【図１７】
2013094600.tif 000019
【図１８】
2013094600.tif 000020
【図１９】
2013094600.tif 000021
【国際調査報告】
2013094600.tif 000022
2013094600.tif 000023
2013094600.tif 000024
2013094600.tif 000025
2013094600.tif 000026
2013094600.tif 000027